(57)【要約】【課題】遮断・警報履歴として、遮断・警報が発生した時からの経過時間を読み出すように変更した場合でも、遮断・警報履歴の読み出しを正確に行う。【解決手段】ガスメータ１の通信制御部１５は、履歴情報として遮断や警報が発生した時からの経過日数を含む第１の履歴電文を作成して送信し、第１の履歴電文の送信が終了した後に、遮断や警報が発生した時からの経過時間を２４時間で除算した余り時間を含む第２の履歴電文を作成して送信し、履歴読み出し装置２の通信制御部２５は、第１の履歴電文の受信が終了した後に、第２の履歴電文をガスメータ１から受信したかどうかを判定し、第２の履歴電文を受信した場合には、経過日数と余り時間とに基づき経過時間を表示または記録させ、第２の履歴電文を受信しない場合には、経過日数を表示または記録させる。【選択図】　　　図１
2004125565.tif 000002
【特許請求の範囲】
【請求項１】
ガス流量の算出、ガス遮断や各種の警告を行うと共に、ガス遮断や警告の履歴情報を記憶し、外部からの履歴読み出し指令に応じて前記履歴情報として遮断や警報が発生した時からの経過日数を含む第１の通信電文を作成して送信するガスメータにおいて、
前記第１の通信電文の送信が終了した後に、前記遮断や警報が発生した時からの経過時間を２４時間で除算した余り時間を含む第２の通信電文を作成して送信する送信手段を備えることを特徴とするガスメータ。
【請求項２】
ガス流量の算出、ガス遮断や各種の警告を行うと共に、ガス遮断や警告の履歴情報を記憶し、外部からの履歴読み出し指令に応じて前記履歴情報として遮断や警報が発生した時からの経過日数を含む第１の通信電文を作成して送信するガスメータにおいて、
前記履歴情報として遮断や警報が発生した時からの経過時間を含む通信電文を作成して送信する送信手段と、
前記外部からの履歴読み出し指令の種類に応じて、前記第１の通信電文又は前記経過時間を含む通信電文を選択して送信する選択送信手段と、
を備えることを特徴とするガスメータ。
【請求項３】
請求項２記載のガスメータにおいて、前記選択送信手段により前記経過時間を含む通信電文が選択された場合には、前記送信手段は、前記第１の通信電文を作成して送信し、該第１の通信電文の送信が終了した後に、前記経過時間を２４時間で除算した余り時間を含む第２の通信電文を作成して送信することを特徴とするガスメータ。
【請求項４】
請求項１又は請求項３記載のガスメータにおいて、前記送信手段は、前記第１の通信電文の送信が終了した時から所定の待ち時間を経過した時に前記第２の通信電文を送信することを特徴とするガスメータ。
【請求項５】
請求項１又は請求項２記載のガスメータにおいて、前記履歴情報として通知すべき項目を追加する場合には、前記送信手段は、追加前の通信電文の送信を終了した後に、追加された項目を含む１つ以上の通信電文を順次送信することを特徴とするガスメータ。
【請求項６】
請求項５記載のガスメータにおいて、前記選択送信手段は、前記外部からの履歴読み出し指令の種類に応じて、送信すべき通信電文の数を選択することにより、前記履歴情報として前記通知すべき項目を選択することを特徴とするガスメータ。
【請求項７】
ガス遮断や警告の履歴情報として遮断や警報が発生した時からの経過日数を含む第１の通信電文を作成して送信するガスメータから、前記履歴情報を読み出す履歴読み出し装置において、
前記第１の通信電文の受信が終了した後に、前記遮断や警報が発生した時からの経過時間を２４時間で除算した余り時間を含む第２の通信電文を前記ガスメータから受信したかどうかを判定する判定手段と、
前記第２の通信電文を受信したと判定された場合には、前記経過日数と前記余り時間とに基づき前記経過時間を表示または記録させ、前記第２の通信電文を受信しないと判定された場合には、前記経過日数を表示または記録させる表示記録制御手段と、
を備えることを特徴とする履歴読み出し装置。
【請求項８】
ガス遮断や警告の履歴情報として遮断や警報が発生した時からの経過日数を含む通信電文を作成して送信する機能と前記履歴情報として遮断や警報が発生した時からの経過時間を含む通信電文を作成して送信する機能とを有するガスメータから、前記履歴情報を読み出す履歴読み出し装置であって、
前記経過日数と前記経過時間のどちらの形式で前記履歴情報を読み出すかによって、前記ガスメータに送信すべき履歴読み出し指令の種類を選択する指令選択手段を備えることを特徴とする履歴読み出し装置。
【請求項９】
請求項７又は請求項８記載の履歴読み出し装置において、前記履歴情報として追加された項目を含む１つ以上の通信電文を前記ガスメータから受信し、受信した通信電文の数に応じて、表示または記録する前記履歴情報の形式を選択する形式選択手段を備えることを特徴とする履歴読み出し装置。
【請求項１０】
請求項９記載の履歴読み出し装置において、前記指令選択手段は、前記履歴情報として読み出すための前記項目に応じて、前記ガスメータに送信する履歴読み出し指令の種類を選択することを特徴とする履歴読み出し装置。
【発明の詳細な説明】
【０００１】
【発明の属する技術分野】
本発明は、ガスの使用状態を監視し異常を検出した場合にガスの供給を遮断するガスメータ及びこのガスメータ内の遮断・警報履歴を読み出す履歴読み出し装置に関する。
【０００２】
【従来の技術】
従来のガスメータ及び履歴読み出し装置の構成例を図１６に示す。図１６において、ガスメータ１０は、各部を制御する制御部１１、流量パルスを検出する流量センサ１２、地震を検出する感震器や圧力低下を検出する圧力スイッチなどの外部センサ１３、ガスの供給を停止するための遮断弁１４、通信制御部１５ｃ、遮断・警報履歴情報を記憶する遮断・警報履歴部１６を備えている。履歴読み出し装置２０は、ガスメータ１０内の遮断・警報履歴を読み出す。
【０００３】
制御部１１は、流量センサ１２により検出された流量パルスをもとにガス流量を算出してガスの異常使用がないか監視すると共に、外部センサ１３の状態により地震や圧力低下の有無を監視する。そして、制御部１１は、ガスの異常使用、地震や圧力低下などの異常を検出した場合には、遮断弁１４を閉じてガスの供給を停止したり警報を行うと共に、発生した遮断・警報の種類、発生時刻、発生時のガス流量などを遮断・警報履歴（履歴情報のこと）として遮断・警報履歴部１６に記憶させる。
【０００４】
また、ガスメータ１０が記憶している遮断・警報履歴を遮断・警報履歴部１６から読み出す場合、履歴読み出し装置２０は、図１８のシーケンスに示すように、履歴読み出し指令をガスメータ１０に送信する。ガスメータ１０の通信制御部１５ｃは、履歴読み出し指令を受信すると、遮断・警報履歴部１６からの遮断・警報履歴に基づき履歴電文を作成する。
【０００５】
従来のガスメータが送信する経過日数を含む履歴電文の構成例（履歴電文Ａ）を図１７に示す。図１７に示す履歴電文Ａでは、５回分の遮断・警報（履歴１〜５）のそれぞれについて、発生した遮断・警報の種類を示す事象番号、遮断・警報が発生した時からの経過日数及び発生時のガス流量を通知するように構成されている。
【０００６】
ガスメータ１０の通信制御部１５ｃは、作成した履歴電文を履歴読み出し装置２０に送信する。履歴読み出し装置２０は、履歴電文を受信すると、その履歴情報を表示する。
【０００７】
次に、図１９を参照してガスメータの履歴電文送信処理を説明する。まず、履歴読み出し装置２０から履歴読み出し指令を受信したかどうかを判定し（ステップＳ１０１）、履歴読み出し指令を受信した場合には、遮断・警報履歴から履歴電文を作成する（ステップＳ１０３）。そして、電文データを送信し（ステップＳ１０５）、全データを送信したかどうかを判定する（ステップＳ１０７）。
【０００８】
次に、図２０を参照して履歴読み出し装置の履歴電文受信処理を説明する。まず、履歴読み出し指令をガスメータ１０に送信すると（ステップＳ１１１）、ガスメータ１０から履歴電文からなるデータを受信する（ステップＳ１１３）。そして、通信異常があるかどうかを判定し（ステップＳ１１５）、通信異常がある場合には処理を終了する。通信異常がない場合には全データを受信したどうかを判定し（ステップＳ１１７）、全データを受信した場合には遮断・警報履歴を表示する（ステップＳ１１９）。
【０００９】
また、上述した従来の技術に関連した技術として特許文献１がある。
【００１０】
【特許文献１】
特許３１３４７９３号
【００１１】
【発明が解決しようとする課題】
図１７に示す履歴電文Ａは、遮断・警報が発生した時から現時点までの経過日数を通知するよう構成されている。このため、遮断・警報がいつ発生したかを日数単位で読み出すことになるが、これを時間単位で読み出すようにしたいという要望がある。
【００１２】
このような要望を実現するためには、一般に、履歴電文を図２１に示すように、遮断・警報が発生した時から現時点までの経過時間を通知する構成（履歴電文Ｂ）に変更し、ガスメータ及び履歴読み出し装置の双方を履歴電文Ｂに対応するように変更する。
【００１３】
しかしながら、このような履歴電文の構成を変更した場合、例えば、履歴電文Ｂを受信する履歴読み出し装置では、履歴電文Ａを送信するガスメータの遮断・警報履歴を、正確に読み出すことができなくなる。従って、履歴電文Ａを送信するガスメータと履歴電文Ｂを送信するガスメータとが混在して設置された場合には、遮断・警報履歴の読み出しを正確に行うために、どの需要家にどちらのガスメータを設置したのかを管理し、需要家ごとに使用する履歴読み出し装置を選択しなければならないといった不都合が生じる。
【００１４】
本発明は、このような問題を解消するためになされたものであり、遮断・警報履歴として、遮断・警報が発生した時からの経過時間を読み出すように変更した場合でも、遮断・警報履歴の読み出しを正確に行うことができるガスメータ及び履歴読み出し装置を提供することにある。
【００１５】
【課題を解決するための手段】
本発明のガスメータは、ガス流量の算出、ガス遮断や各種の警告を行うと共に、ガス遮断や警告の履歴情報を記憶し、外部からの履歴読み出し指令に応じて前記履歴情報として遮断や警報が発生した時からの経過日数を含む第１の通信電文を作成して送信するガスメータにおいて、前記第１の通信電文の送信が終了した後に、前記遮断や警報が発生した時からの経過時間を２４時間で除算した余り時間を含む第２の通信電文を作成して送信する送信手段を備えることを特徴とする。
【００１６】
この発明によれば、ガスメータの送信手段は、第１の通信電文を作成して送信し、第１の通信電文の送信が終了した後に、遮断や警報が発生した時からの経過時間を２４時間で除算した余り時間を含む第２の通信電文を作成して送信する。即ち、遮断・警報が発生した時からの経過時間を読み出すようにする場合、経過日数を含む第１の通信電文の構成は変更せずに、経過時間を２４時間（１日）で除算した余り時間を含む第２の通信電文を使用する。
【００１７】
また、本発明の履歴読み出し装置は、ガス遮断や警告の履歴情報として遮断や警報が発生した時からの経過日数を含む第１の通信電文を作成して送信するガスメータから、前記履歴情報を読み出す履歴読み出し装置において、前記第１の通信電文の受信が終了した後に、前記遮断や警報が発生した時からの経過時間を２４時間で除算した余り時間を含む第２の通信電文を前記ガスメータから受信したかどうかを判定する判定手段と、前記第２の通信電文を受信したと判定された場合には、前記経過日数と前記余り時間とに基づき前記経過時間を表示または記録させ、前記第２の通信電文を受信しないと判定された場合には、前記経過日数を表示または記録させる表示記録制御手段とを備えることを特徴とする。
【００１８】
この発明によれば、履歴読み出し装置は、経過日数を含む第１の通信電文を受信した後、余り時間を含む第２の通信電文を受信しない場合には遮断・警報履歴を経過日数から日数形式で表示し、余り時間を含む第２の通信電文を受信した場合には遮断・警報履歴を経過時間形式で表示する。
【００１９】
従って、遮断・警報履歴として遮断・警報が発生した時からの経過時間を読み出すように変更した場合でも、変更前の履歴読み出し装置で、変更後のガスメータの遮断・警報履歴を正確に読み出すことができる。また、変更後の履歴読み出し装置は変更前の履歴電文を扱うことができるようになっているため、変更前のガスメータの遮断・警報履歴を正確に読み出すことができる。
【００２０】
【発明の実施の形態】
以下、本発明に係るガスメータ及び履歴読み出し装置を図面を参照しながら説明する。
【００２１】
（第１の実施の形態）
図１は本発明のガスメータ及び履歴読み出し装置の第１の実施の形態の構成例を示す図である。
【００２２】
図１において、ガスメータ１と履歴読み出し装置２とはデータ通信装置を構成する。ガスメータ１は、制御部１１、流量センサ１２、外部センサ１３、遮断弁１４、通信制御部１５、遮断・警報履歴部１６を備え、図１６の従来の構成に対して通信制御部の構成が異なる。その他の構成は同一構成であるので、同一部分には同一符号を付してある。
【００２３】
ガスメータ１内の通信制御部１５は、本発明の送信手段に対応し、履歴読み出し装置２からの履歴読み出し指令に応じて履歴情報として遮断や警報が発生した時からの経過日数を含む第１の履歴電文（本発明の第１の通信電文に対応）を作成して送信し、第１の履歴電文の送信が終了した後に、遮断や警報が発生した時からの経過時間を２４時間で除算した余り時間を含む第２の履歴電文（本発明の第２の通信電文に対応）を作成して送信する。
【００２４】
図２は第１の実施の形態の履歴電文の構成例を示す図である。図２において、第１の履歴電文は、従来の履歴電文Ａと同一の構成となっており、５回分の遮断・警報（履歴１〜５）のそれぞれについて、発生した遮断・警報の種類を示す事象番号、遮断・警報が発生した時からの経過日数及び発生時のガス流量を通知するよう構成されている。
【００２５】
第２の履歴電文には、５回分の遮断・警報のそれぞれについて、遮断・警報が発生した時からの経過時間を２４時間（１日）で換算した余り時間を通知するよう構成されている。例えば経過時間が２５時間であれば、余り時間は１時間である。
【００２６】
履歴読み出し装置２は、各部を制御する制御部２１、履歴情報を読み出すための履歴読み出し指令等を入力する操作部２２、データを表示する表示部２３、履歴情報を記憶する情報メモリ２４、通信制御部２５を備えている。
【００２７】
通信制御部２５は、経過日数を含む第１の履歴電文を受信し、この第１の履歴電文の受信を終了した後に、余り時間を含む第２の履歴電文をガスメータ１から受信したかどうかを判定し（本発明の判定手段に対応）、第２の履歴電文を受信したと判定された場合には、経過日数と余り時間とに基づき経過時間を表示部２３に表示または情報メモリ２４に記録させ、第２の履歴電文を受信しないと判定された場合には、経過日数を表示部２３に表示または情報メモリ２４に記録させる（本発明の表示記録制御手段に対応）。また、通信制御部２５は、遮断・警報が発生した時からの経過時間を、第１の履歴電文の経過日数と第２の履歴電文の余り時間とから、式（１）を用いて算出することもできる。
【００２８】
経過時間＝第１の履歴電文の経過日数×２４＋第２の履歴電文の余り時間
・・・（１）
図３は第１の実施の形態のガスメータ及び履歴読み出し装置間の通信手順を示すシーケンス図である。遮断・警報履歴の読み出し手順は以下のようになる。まず、ガスメータ１の通信制御部１５が、履歴読み出し装置２から履歴読み出し指令を受信すると、通信制御部１５は、遮断・警報履歴部１６からの遮断・警報履歴に基づき第１の履歴電文を作成して履歴読み出し装置２に送信する。
【００２９】
履歴読み出し装置２の通信制御部２５は、第１の履歴電文の受信が終了すると、第２の履歴電文の受信を開始する。
【００３０】
ガスメータ１の通信制御部１５は、第１の履歴電文の送信が終了した時から所定時間待つ。これは、通信が正常に行われるように、履歴読み出し装置２による受信準備が行われるのを待つためである。その後、ガスメータ１の通信制御部１５は、遮断・警報履歴部１６からの遮断・警報履歴に基づき第２の履歴電文を作成して履歴読み出し装置２に送信する。履歴読み出し装置２は、第２の履歴電文を受信し、第１及び第２の履歴電文から遮断・警報履歴を経過時間形式で表示する。
【００３１】
次に、図４を参照して第１の実施の形態のガスメータの履歴電文送信処理を説明する。まず、履歴読み出し装置２から履歴読み出し指令を受信したかどうかを判定し（ステップＳ１１）、履歴読み出し指令を受信した場合には、遮断・警報履歴から第１の履歴電文を作成する（ステップＳ１３）。そして、電文データを送信し（ステップＳ１５）、全データを送信したかどうかを判定する（ステップＳ１７）。
【００３２】
全データを送信した場合には、送信が終了した時から所定時間待ち（ステップＳ１９）、遮断・警報履歴から第２の履歴電文を作成する（ステップＳ２１）。そして、電文データを送信し（ステップＳ２３）、全データを送信したかどうかを判定する（ステップＳ２５）。
【００３３】
次に、図５を参照して第１の実施の形態の履歴読み出し装置の履歴電文受信処理を説明する。まず、履歴読み出し指令をガスメータ１に送信すると（ステップＳ３１）、ガスメータ１から履歴電文からなるデータを受信する（ステップＳ３３）。そして、通信異常があるかどうかを判定し（ステップＳ３５）、通信異常がある場合には処理を終了する。通信異常がない場合には全データを受信したどうかを判定する（ステップＳ３７）。
【００３４】
そして、ガスメータ１から履歴電文からなるデータを受信する（ステップＳ３９）。そして、通信異常があるかどうかを判定し（ステップＳ４１）、通信異常がある場合にはステップＳ４５に進む。通信異常がない場合には全データを受信したかどうかを判定し（ステップＳ３４）、全データを受信した場合にはステップＳ４５に進む。
【００３５】
ステップＳ４５では、第２の履歴電文を受信したかどうかを判定する（ステップＳ４５）。第２の履歴電文を受信したと判定された場合には、経過日数と余り時間とに基づき遮断・警報履歴を経過時間形式で表示部２３に表示させる（ステップＳ４７）。第２の履歴電文を受信しないと判定された場合には、遮断・警報履歴を経過日数形式で表示部２３に表示させる（ステップＳ４９）。
【００３６】
第１の実施の形態の履歴読み出し装置２により遮断・警報履歴を経過時間形式で表示した様子を図６に示す。遮断・警報履歴の一例として、履歴１〜履歴５のそれぞれについて、発生事象、経過日数、遮断流量値の項目に文字又は数字が表示される。ここで、経過日数の項目には、経過時間形式で例えば５日１１時間と表示される。また、５日１１時間を１３１時間と表示することも可能である。なお、発生事象の（）内の数字は事象番号を表す。
【００３７】
以上の説明では、第１の実施の形態の経過時間を送信するガスメータ（新）及び第１の実施の形態の経過時間を受信する履歴読み出し装置（新）間の通信を説明したが、次に、ガスメータ（新）及び経過日数を受信する履歴読み出し装置（旧）間の通信、経過日数を送信するするガスメータ（旧）及び履歴読み出し装置（新）間の通信について説明する。
【００３８】
図７はガスメータ（新）及び履歴読み出し装置（旧）間の通信手順を示すシーケンス図である。履歴読み出し装置（旧）がガスメータ（新）の遮断・警報履歴を読み出す場合、履歴読み出し装置（旧）は、履歴読み出し命令をガスメータ（新）に送信する。ガスメータ（新）は、履歴読み出し命令に対して、第１の履歴電文と第２の履歴電文を送信する。履歴読み出し装置（旧）は、第１の履歴電文を受信すると、遮断・警報履歴を経過日数形式で表示する。履歴読み出し装置（旧）により遮断・警報履歴を経過日数形式で表示した様子を図８に示す。ここで、経過日数の項目には、経過日数形式で例えば５日と表示される。ガスメータ（新）が送信した第２の履歴電文は、履歴読み出し装置（旧）による受信動作が終了しているため、無視される。
【００３９】
図９はガスメータ（旧）及び履歴読み出し装置（新）間の通信手順を示すシーケンス図である。履歴読み出し装置（新）がガスメータ（旧）の遮断・警報履歴を読み出す場合、履歴読み出し装置（新）は、履歴読み出し指令をガスメータ（旧）に送信する。ガスメータ（旧）は、履歴読み出し指令に対して、第１の履歴電文を送信する。履歴読み出し装置（新）は、第１の履歴電文を受信すると、第２の履歴電文の受信を開始するが、ガスメータ（旧）から第２の履歴電文を所定時間内に受信しないため、遮断・警報履歴を経過日数形式で表示する。
【００４０】
以上説明したように、遮断・警報履歴として遮断・警報が発生した時からの経過時間を読み出すように変更した場合でも、変更前の履歴読み出し装置（旧）で、変更後のガスメータ（新）の遮断・警報履歴を正確に読み出すことができる。
【００４１】
また、変更後の履歴読み出し装置（新）は変更前の履歴電文を扱うことができるようになっているため、変更前のガスメータ（旧）の遮断・警報履歴を正確に読み出すことができる。
【００４２】
（第２の実施の形態）
次に本発明の第２の実施の形態のガスメータ及び履歴読み出し装置を説明する。第１の実施の形態では、履歴読み出し装置から送信する履歴読み出し指令が同じである場合を説明したが、第２の実施の形態では、履歴読み出し装置からの履歴読み出し指令を経過日数で読み出すか経過時間で読み出すかによって異なるものとし、履歴読み出し指令を受信したガスメータは、履歴読み出し指令が経過日数の場合には第１の履歴電文のみを送信し、履歴読み出し指令が経過時間の場合には第１の履歴電文と第２の履歴電文の両方を送信することを特徴とする。
【００４３】
図１０は本発明のガスメータ及び履歴読み出し装置の第２の実施の形態の構成例を示す図である。ガスメータ１ａは、図１に示すガスメータ１に対して通信制御部１５ａの構成が異なるのみであり、履歴読み出し装置２ａは、図１に示す履歴読み出し装置２に対して通信制御部２５ａの構成が異なるのみであるので、その異なる部分のみを説明する。
【００４４】
履歴読み出し装置２ａ内の通信制御部２５ａは、経過日数と経過時間のどちらの形式で履歴情報を読み出すかによって、ガスメータ１ａに送信すべき履歴読み出し指令の種類を選択して送信する（本発明の指令選択手段に対応）。
【００４５】
ガスメータ１ａ内の通信制御部１５ａは、遮断や警報が発生した時からの経過日数を含む第１の履歴電文を作成して送信する機能と、履歴情報として遮断や警報が発生した時からの経過時間を含む履歴電文を作成して送信する機能とを有するとともに、外部からの履歴読み出し指令の種類に応じて、第１の履歴電文又は経過時間を含む履歴電文を選択して送信する（本発明の選択送信手段に対応）。また、通信制御部１５ａは、経過時間を含む履歴電文が選択された場合には、第１の履歴電文を作成して送信し、該第１の履歴電文の送信が終了した後に、経過時間を２４時間で除算した余り時間を含む第２の履歴電文を作成して送信する。
【００４６】
図１２はガスメータ（新）及び履歴読み出し装置（新）間の通信手順を示すシーケンス図である。まず、履歴読み出し装置（新）は、遮断・警報履歴を経過日数で読み出す場合には、履歴読み出し指令Ａ（経過日数）をガスメータ（新）に送信する。ガスメータ（新）は、履歴読み出し指令Ａを受信した場合には、第１の履歴電文のみを履歴読み出し装置（新）に送信する。履歴読み出し装置（新）は、第１の履歴電文から遮断・警報履歴を経過日数形式で表示する。
【００４７】
一方、履歴読み出し装置（新）は、遮断・警報履歴を経過時間で読み出す場合には履歴読み出し指令Ｂ（経過時間）をガスメータ（新）に送信する。ガスメータ（新）は、履歴読み出し指令Ｂを受信した場合には、第１の履歴電文を送信し、第１の履歴電文の送信の終了から所定の待ち時間後に第２の履歴電文を送信する。履歴読み出し装置（新）は、第１及び第２の履歴電文から遮断・警報履歴を経過時間形式で表示する。即ち、ガスメータ（新）は、履歴読み出し指令Ｂに対して第１の履歴電文と第２の履歴電文を送信するため、履歴読み出しを正確に行うことができる。
【００４８】
次に図１１を参照して第２の実施の形態のガスメータの履歴電文送信処理を説明する。まず、履歴読み出し装置２ａから履歴読み出し指令を受信したかどうかを判定し（ステップＳ１１）、履歴読み出し指令を受信した場合には、履歴読み出し指令が指令Ａか指令Ｂかを判定する（ステップＳ１２）。指令が指令Ａの場合には、遮断・警報履歴から第１の履歴電文を作成する（ステップＳ１３ａ）。そして、電文データを送信し（ステップＳ１５ａ）、全データを送信したかどうかを判定する（ステップＳ１７ａ）。全データを送信した場合にはステップＳ１１に戻る。
【００４９】
一方、指令が指令Ｂの場合には、遮断・警報履歴から第１の履歴電文を作成する（ステップＳ１３）。そして、電文データを送信し（ステップＳ１５）、全データを送信したかどうかを判定する（ステップＳ１７）。
【００５０】
全データを送信した場合には、送信が終了した時から所定時間待ち（ステップＳ１９）、遮断・警報履歴から第２の履歴電文を作成する（ステップＳ２１）。そして、電文データを送信し（ステップＳ２３）、全データを送信したかどうかを判定する（ステップＳ２５）。全データを送信した場合にはステップＳ１１に戻る。
【００５１】
図１３はガスメータ（旧、新）及び履歴読み出し装置（旧）間の通信手順を示すシーケンス図である。図１３において、履歴読み出し装置（旧）が履歴読み出しを行う場合には、履歴読み出し指令Ａを送信し、ガスメータ（旧）とガスメータ（新）は、共に第１の履歴電文を送信する。このため、履歴読み出しを正確に行うことができる。また、ガスメータ（新）は、第２の履歴電文を送信しないので、余分な通信を行わずに済む。
【００５２】
図１４はガスメータ（旧、新）及び履歴読み出し装置（新）間の通信手順を示すシーケンス図である。図１４において、履歴読み出し装置（新）が履歴読み出し指令Ａを送信した場合、ガスメータ（旧）とガスメータ（新）は、共に第１の履歴電文を送信する。このため、履歴読み出しを正確に行うことができる。
【００５３】
図１５はガスメータ（旧）及び履歴読み出し装置（新）間の通信手順を示すシーケンス図である。図１５において、履歴読み出し装置（新）が履歴読み出し指令Ｂを送信した場合、ガスメータ（旧）は、履歴電文を送信しない。このため、通信が失敗するが、所定時間経過後に、履歴読み出し装置（新）が履歴読み出し指令Ａを送信すれば、ガスメータ（旧）は、第１の履歴電文を送信する。このため、履歴読み出しを正確に行うことができる。
【００５４】
以上説明したように、履歴読み出し装置とガスメータの新旧の組み合わせがどのようになっている場合でも、履歴読み出しを正確に行うことができる。
【００５５】
また、ガスメータ（新）が、履歴読み出し指令Ｂに対して第１の履歴電文と第２の履歴電文とに分けて送信するので、ガスメータが履歴読み出し装置から受信した指令Ａを指令Ｂと誤って判定してしまった場合でも、第１の履歴電文により履歴読み出しが正確に行なうことができる。
【００５６】
（変形例）
本発明は、前述した第１の実施の形態及び第２の実施の形態に限定されるものではない。第１の実施の形態及び第２の実施の形態では、遮断・警報が発生した時からの経過時間を読み出せるようにするために余り時間を履歴電文に追加する場合について説明したが、これ以外にも、本発明は、例えばガスを継続して使用していたガス使用時間などを追加する場合や、複数の項目を追加する場合にも適用可能である。
【００５７】
例えば余り時間とガス使用時間の２つの項目を追加する場合には、ガスメータは、経過日数を含む第１の履歴電文、余り時間を含む第２の履歴電文、ガス使用時間を含む第３の履歴電文の３つの履歴電文を順番に送信する。即ち、追加した項目数に応じて履歴電文を都度追加していくようにしても良い。この場合には、履歴読み出し装置は、履歴情報として追加された項目を含む１つ以上の履歴電文をガスメータから受信し、受信した履歴電文の数に応じて、表示または記録する履歴情報の表示形式または記録形式を選択してもよい。例えば、第１の履歴電文及び第２の履歴電文から経過日数と余り時間とを経過時間形式で表示し、第３の履歴電文からガス使用時間を時間形式で表示するようにしてもよい。
【００５８】
また、履歴読み出し装置が、履歴情報として読み出すための項目に応じて、ガスメータに送信する履歴読み出し指令の種類を選択し、ガスメータが、外部からの履歴読み出し指令の種類に応じて、送信すべき履歴電文の数を選択することにより、履歴情報として通知すべき項目を選択してもよい。これにより、遮断・警報履歴として通知する内容を追加した場合でも、履歴読み出し装置による履歴読み出しが正確に行われるようにすることができる。
【００５９】
このように、遮断・警報履歴として通知する内容を追加した場合であっても、変更前のガスメータと変更後の履歴読み出し装置との組み合わせでも履歴情報の読み出しが正確に行われるようになるため、履歴情報の読み出しを円滑に行うことができる。また、変更後のガスメータと変更前の履歴読み出し装置との組み合わせでも同様である。
【００６０】
【発明の効果】
本発明によれば、遮断・警報履歴として、遮断・警報が発生した時からの経過時間を読み出すように変更した場合でも、遮断・警報履歴の読み出しを正確に行うことができる。
【図面の簡単な説明】
【図１】本発明のガスメータ及び履歴読み出し装置の第１の実施の形態の構成例を示す図である。
【図２】第１の実施の形態の履歴電文の構成例を示す図である。
【図３】第１の実施の形態のガスメータ及び履歴読み出し装置間の通信手順を示すシーケンス図である。
【図４】第１の実施の形態のガスメータの履歴電文送信を示すフローチャートである。
【図５】第１の実施の形態の履歴読み出し装置の履歴電文受信を示すフローチャートである。
【図６】第１の実施の形態の履歴読み出し装置により遮断・警報履歴を経過時間形式で表示した様子を示す図である。
【図７】ガスメータ（新）及び履歴読み出し装置（旧）間の通信手順を示すシーケンス図である。
【図８】履歴読み出し装置（旧）により遮断・警報履歴を経過日数形式で表示した様子を示す図である。
【図９】ガスメータ（旧）及び履歴読み出し装置（新）間の通信手順を示すシーケンス図である。
【図１０】本発明のガスメータ及び履歴読み出し装置の第２の実施の形態の構成例を示す図である。
【図１１】第２の実施の形態のガスメータの履歴電文送信を示すフローチャートである。
【図１２】ガスメータ（新）及び履歴読み出し装置（新）間の通信手順を示すシーケンス図である。
【図１３】ガスメータ（旧、新）及び履歴読み出し装置（旧）間の通信手順を示すシーケンス図である。
【図１４】ガスメータ（旧、新）及び履歴読み出し装置（新）間の通信手順を示すシーケンス図である。
【図１５】ガスメータ（旧）及び履歴読み出し装置（新）間の通信手順を示すシーケンス図である。
【図１６】従来のガスメータ及び履歴読み出し装置の構成例を示す図である。
【図１７】従来のガスメータが送信する経過日数を含む履歴電文の構成例（履歴電文Ａ）を示す図である。
【図１８】従来のガスメータ及び履歴読み出し装置間の通信手順を示すシーケンス図である。
【図１９】従来のガスメータの履歴電文送信を示すフローチャートである。
【図２０】従来の履歴読み出し装置の履歴電文受信を示すフローチャートである。
【図２１】従来のガスメータが送信する経過時間を含む履歴電文の構成例（履歴電文Ｂ）を示す図である。
【符号の説明】
１，１０…ガスメータ、２，２０…履歴読み出し装置、１１，２１…制御部、１２…流量センサ、１３…外部センサ、１４…遮断弁、１５，１５ａ，１５ｃ，２５，２５ａ…通信制御部、１６…遮断・警報履歴部、２２…操作部、２３…表示部、２４…情報メモリ。
【図１】
2004125565.tif 000003
【図２】
2004125565.tif 000004
【図３】
2004125565.tif 000005
【図４】
2004125565.tif 000006
【図５】
2004125565.tif 000007
【図６】
2004125565.tif 000008
【図７】
2004125565.tif 000009
【図８】
2004125565.tif 000010
【図９】
2004125565.tif 000011
【図１０】
2004125565.tif 000012
【図１１】
2004125565.tif 000013
【図１２】
2004125565.tif 000014
【図１３】
2004125565.tif 000015
【図１４】
2004125565.tif 000016
【図１５】
2004125565.tif 000017
【図１６】
2004125565.tif 000018
【図１７】
2004125565.tif 000019
【図１８】
2004125565.tif 000020
【図１９】
2004125565.tif 000021
【図２０】
2004125565.tif 000022
【図２１】
2004125565.tif 000023